(57)【特許請求の範囲】
【請求項１】
複数のシーンを有する、画像データと該画像データとともに生成された音声データとを含む動画像データを記憶する第１の記憶手段と、
ＢＧＭデータを記憶する第２の記憶手段と、
前記動画像データを撮影したときに集音された音声に関する情報を少なくとも含む情報に基づいて前記第１の記憶手段に記憶されている動画像データが有する複数のシーンから不連続な複数のシーンを選択し、該選択した不連続な複数のシーンを連続的に繋いで再生可能なダイジェスト再生用プレイリストを生成する生成手段と、
前記ダイジェスト再生用プレイリストに基づいて前記不連続な複数のシーンを連続的に繋いで再生する際に、該不連続な複数のシーンに対応する各動画像データに含まれる音声データを再生せず、画像データのみを再生し、該画像データの再生に併せて前記第２の記憶手段に記憶されているＢＧＭデータを連続して再生する再生手段と、
を備える撮像装置。
【請求項２】
前記第１の記憶手段に記憶される動画像データは、少なくとも第１の動画像データと、前記第１の動画像データとは不連続な第２の動画像データとを含み、
前記生成手段は、前記第１の動画像データを撮影したときに集音された音声に関する情報を少なくとも含む情報に基づいて前記第１の動画像データから少なくとも１つのシーンを第１のシーンとして選択し、前記第２の動画像データを撮影したときに集音された音声に関する情報を少なくとも含む情報に基づいて前記第２の動画像データから少なくとも１つのシーンを第２のシーンとして選択し、前記第１のシーンと前記第２のシーンとを連続的に繋いで再生可能なダイジェスト再生用プレイリストを生成し、
前記再生手段は、前記ダイジェスト再生用プレイリストに基づいて、前記第１のシーンと前記第２のシーンとを連続的に繋いで再生する際に、前記第１のシーンに対応する動画像データに含まれる音声データおよび前記第２のシーンに対応する動画像データに含まれる音声データを再生せず、画像データのみを再生し、該画像データの再生に併せて前記第２の記憶手段に記憶されているＢＧＭデータを連続して再生する、
請求項１に記載の撮像装置。
【請求項３】
前記ダイジェスト再生用プレイリストは、前記第１の記憶手段における前記複数のシーンが格納されている部分を指し示す管理ファイルである、
請求項１または２に記載の撮像装置。
【請求項４】
画像データと該画像データとともに生成された音声データとを含む動画像データが有する複数のシーンから不連続な複数のシーンを前記動画像データを撮影したときに集音された音声に関する情報を少なくとも含む情報に基づいて選択し、該選択した不連続な複数のシーンを連続的に繋いで再生可能なダイジェスト再生用プレイリストを生成し、
前記ダイジェスト再生用プレイリストに基づいて前記不連続な複数のシーンを連続的に繋いで再生する際に、該不連続な複数のシーンに対応する各動画像データに含まれる音声データを再生せず、画像データのみを再生し、該画像データの再生に併せてＢＧＭデータを連続して再生する、
ダイジェスト再生方法。
【発明の詳細な説明】
【技術分野】
【０００１】
本発明は撮像装置及びダイジェスト再生方法に関し、特に、動画像を再生可能な撮像装置に関する。
【背景技術】
【０００２】
動画像の全様を簡単に把握するために、動画像の一部を抽出し、つなぎ合わせて再生する、ダイジェスト再生機能を有する撮像装置がある。特許文献１は、撮影された動画像について、使用者にとって負担の大きい編集操作入力なしに各種の編集が施されたダイジェスト再生をさせることを可能とする電子カメラを開示する。この電子カメラは、撮影された動画像のダイジェスト再生をする際に別の音（音楽、効果音などを含む）を付加することもできる。
【先行技術文献】
【特許文献】
【０００３】
【特許文献１】特開２００５−２６０７４９号公報
【発明の概要】
【発明が解決しようとする課題】
【０００４】
しかしながら、上記特許文献に開示されている電子カメラは、動画像のダイジェスト再生において、場面が切り替わる場合であっても、その際に出力する音声について特に配慮をしていない。従って、ダイジェスト再生中に場面が切り替わる場合に、出力する音声が急に切り替わる。その結果、この電子カメラは、使用者にとって音声の聞きづらいダイジェスト再生を行うこととなる。
【０００５】
本発明は、使用者にとって聴覚的に良好なダイジェスト再生を行うことが可能な撮像装置及びダイジェスト再生方法を提供することを目的とする。
【課題を解決するための手段】
【０００６】
上記課題を解決するために、本発明は、複数のシーンから構成される、画像データと音声データとを含む動画像データを記憶する第１の記憶手段と、ＢＧＭ（Background music）データを記憶する第２の記憶手段と、前記第１の記憶手段に記憶されている動画像データを構成する複数のシーンのうちの１又は複数のシーンを示す情報に基づいて、該１又は複数のシーンを連続的に再生可能なダイジェスト再生用プレイリストを生成する生成手段と、前記ダイジェスト再生用プレイリストに基づいて前記動画像データを再生する際に、該動画像データに含まれる音声データを再生せず、画像データのみを再生し、該画像データの再生に併せて前記第２の記憶手段に記憶されているＢＧＭデータを再生する再生手段と、を備える、撮像装置を提供する。
【０００７】
また、本発明は、複数のシーンから構成される動画像データを複数記憶する第１の記憶手段と、ＢＧＭデータを複数記憶する第２の記憶手段と、前記第１の記憶手段に記憶されている動画像データを構成する複数のシーンのうちの１又は複数のシーンを示す情報に基づいて、１又は複数のシーンを連続的に再生可能なダイジェスト再生用プレイリストを生成する生成手段と、前記ダイジェスト再生用プレイリストを生成するための動画像データの選択を受け付ける第１の受付手段と、前記ダイジェスト再生用プレイリストに基づいて前記動画像データのうちの選択された動画像データを再生する際に併せて再生するＢＧＭデータの選択を受け付ける第２の受付手段と、を備え、前記第２の受付手段は、前記第１の受付手段が動画像データの選択を受け付けた後に、ＢＧＭデータの選択を受け付け、前記生成手段は、前記第１の受付手段が動画像データの選択を受け付けた後でかつ前記第２の受付手段がＢＧＭデータの選択を受け付ける前に、ダイジェスト再生用プレイリストの生成を開始する撮像装置を提供する。
【０００８】
また、本発明は、動画像データを構成する複数のシーンのうちの１又は複数のシーンを示す情報に基づいて、該１又は複数のシーンを連続的に再生可能なダイジェスト再生用プレイリストを生成し、前記ダイジェスト再生用プレイリストに基づいて前記動画像データを再生する際に、該動画像データに含まれる音声データを再生せず、画像データのみを再生し、該画像データの再生に併せてＢＧＭデータを再生する、ダイジェスト再生方法を提供する。
【発明の効果】
【０００９】
本発明によれば、音声データに代えて連続したＢＧＭデータを再生することにより、使用者にとって聴覚的に良好なダイジェスト再生を行うことが可能な撮像装置を提供することできる。
【図面の簡単な説明】
【００１０】
【図１】本発明の撮像装置の一実施形態であるデジタルビデオカメラのブロック図
【図２】ハードディスクドライブ又はメモリカードにおけるそれぞれのファイルのディレクトリ構造を説明するための模式図
【図３】ハードディスクドライブ又はメモリカードにおけるそれぞれのファイルの関係を説明するための模式図
【図４】デジタルビデオカメラにおける動画像データの記録動作を説明するためのフローチャート
【図５】デジタルビデオカメラにおけるインデックス生成等を説明するための模式図
【図６】デジタルビデオカメラにおけるダイジェスト再生を説明するためのフローチャート
【図７】ダイジェスト再生の際の選択画面の模式図
【図８】デジタルビデオカメラにおける複数の動画像データからダイジェスト再生用プレイリストを生成する方法を具体的に説明するための模式図
【発明を実施するための形態】
【００１１】
本発明は、動画像のダイジェスト再生が可能な撮像装置において、使用者にとって聴覚的に良好なダイジェスト再生が可能な撮像装置を提供するためになされた発明である。以下、本発明の撮像装置の一実施形態であるビデオカメラについて説明する。
【００１２】
〔１．実施の形態〕
〔１−１．概要〕
図１に示す、本実施の形態にかかるデジタルビデオカメラ１００は、動画像を記録する際に、使用者のカメラワーク等に応じてそれぞれのシーンに得点を割り当てる。デジタルビデオカメラ１００は、各シーンに割り当てられた得点（重要度に関する情報）に応じて、１又は複数のシーンをピックアップし、それらのシーンを連続再生することにより動画像のダイジェスト再生をすることができる。
【００１３】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、１又は複数のレンズからなる光学系１１０により形成された被写体像をＣＣＤ（Charge Coupled Device）イメージセンサー１３０で撮像する。ＣＣＤイメージセンサー１３０で生成された画像データは、画像処理部１５０で各種処理が施され、ハードディスクドライブ１８０又はメモリカード２００に記憶される。以下、デジタルビデオカメラ１００の構成を詳細に説明する。
【００１４】
光学系１１０は、ズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１５】
レンズ駆動部１２０は、光学系１１０に含まれる各種レンズを駆動する。例えばズームレンズを駆動するズームモータや、フォーカスレンズを駆動するフォーカスモータがこれにあたる。
【００１６】
ＣＣＤイメージセンサー１３０は、光学系１１０で形成された被写体像を撮像して、画像データを生成する。ＣＣＤイメージセンサー１３０は、露光、転送、電子シャッタなどの各種動作を行う。
【００１７】
Ａ／Ｄ（Analog to Digital）コンバータ１４０は、ＣＣＤイメージセンサー１３０で生成されたアナログ画像データをデジタル画像データに変換する。
【００１８】
画像処理部１５０は、ＣＣＤイメージセンサー１３０で生成された画像データに対して各種処理を施す。画像処理部１５０は、ＣＣＤイメージセンサー１３０で生成された画像データに対して処理を施し、表示モニタ２２０に表示するための画像データを生成したり、ハードディスクドライブ１８０やメモリカード２００に記憶するための画像データを生成したりする。例えば、画像処理部１５０は、ＣＣＤイメージセンサー１３０で生成された画像データに対してガンマ補正やホワイトバランス補正、傷補正などの各種処理を行う。また、画像処理部１５０は、所定の顔検出アルゴリズムを用いることにより、ＣＣＤイメージセンサー１３０で生成された画像データに人物の顔が含まれているか否かを検出可能である。また、画像処理部１５０は、ＣＣＤイメージセンサー１３０で生成された画像データに対して、ＭＰＥＧ―４／ＡＶＣ（Moving Picture Experts Group-4/Advanced Video Coding）規格に準拠した圧縮形式等により画像データを圧縮する。画像処理部１５０は、ＤＳＰ（Digital Signal Processor）やマイクロコンピュータなどで構成可能である。
【００１９】
コントローラー１６０は、全体を制御する制御手段である。コントローラー１６０は、半導体素子などで構成可能である。コントローラー１６０は、ハードウェアのみで構成してもよいし、ハードウェアとソフトウェアとを組み合わせることにより構成してもよい。コントローラー１６０は、マイクロコンピュータなどで構成できる。
【００２０】
バッファ１７０は、画像処理部１５０及びコントローラー１６０のワークメモリとして機能する。バッファ１７０は、例えば、ＤＲＡＭ（Dynamic Random Access Memory）、強誘電体メモリなどで構成できる。
【００２１】
ハードディスクドライブ１８０は、画像処理部１５０で生成された画像ファイル等のデータを記憶可能である。カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１５０で生成された画像ファイルなどのデータを記憶可能である。なお、ハードディスクドライブ１８０又はメモリカード２００には、１又は複数のＢＧＭデータが予め記憶されている。
【００２２】
操作部材２１０は、使用者からの操作を受け付けるユーザーインターフェースの総称である。例えば、使用者からの操作を受け付ける十字キーや決定釦等がこれにあたる。
【００２３】
表示モニタ２２０は、ＣＣＤイメージセンサー１３０で生成した画像データが示す画像や、ハードディスクドライブ１８０やメモリカード２００から読み出した画像データが示す画像を表示可能である。
【００２４】
マイク２６０は、音声を集める。マイク２６０により集められた音声は、音声データとしてハードディスクドライブ１８０又はメモリカード２００に記録される。
【００２５】
スピーカ２７０は、ハードディスクドライブ１８０又はメモリカード２００に記憶されている動画像データに画像データと重畳して記憶されている音声データを出力する。また、スピーカ２７０は、動画像データをダイジェスト再生する際には、ハードディスクドライブ１８０又はメモリカード２００に記憶されているＢＧＭデータを出力する。
【００２６】
〔１−２−２．ハードディスクドライブ及びメモリカードにおけるそれぞれのファイルの関係〕
ハードディスクドライブ１８０及びメモリカード２００に格納されているファイルのそれぞれの関係について図２、図３を用いて説明する。図２は、ハードディスクドライブ１８０及びメモリカード２００におけるそれぞれのファイルのディレクトリ構造を説明するための模式図である。図３は、図２で説明するそれぞれのファイルの関係を説明するための模式図である。
【００２７】
まず、ハードディスクドライブ１８０及びメモリカード２００のディレクトリ構造について図２を用いて説明する。デジタルビデオカメラ１００がＡＶＣＨＤ（Advanced Video Codec High Definition（登録商標））規格に準拠しているため、ハードディスクドライブ１８０及びメモリカード２００は、図２のようなディレクトリ構造を構成する。ハードディスクドライブ１８０及びメモリカード２００は、「ＢＤＭＶ」ディレクトリ内に「ＩＮＤＥＸ．ＢＤＭ」、「ＭＯＶＩＥＯＢＪ．ＢＤＭ」、「ＰＬＡＹＬＩＳＴ」、「ＣＬＩＰＩＮＦ」、「ＳＴＲＥＡＭ」を格納する。
【００２８】
ここで、「ＩＮＤＥＸ．ＢＤＭ」は、記録媒体にどのようなファイルが格納されているかを管理する管理ファイルである。「ＭＯＶＩＥＯＢＪ．ＢＤＭ」は、格納されている動画像データの再生方法を定義しているファイルである。
【００２９】
「ＰＬＡＹＬＩＳＴ」は、拡張子が「ＭＰＬ」であるプレイリストを格納する。ここで、プレイリストとは、任意のルールに基づいて１又は複数の動画像データをグループ化し、管理する管理ファイルである。例えば、デジタルビデオカメラ１００において、プレイリストは、同日に撮影された全ての動画像データを一纏めにして管理する。この場合に、プレイリストは、管理している動画像データの撮影日に関する情報を有している。動画像データが管理されているプレイリストを参照することにより、コントローラー１６０は、動画像データの撮影日を検知することができる。
【００３０】
「ＣＬＩＰＩＮＦ」は、拡張子が「ＣＰＩ」である管理ファイル（以下、ＣＰＩファイル）を格納する。ＣＰＩファイルは、拡張子が「ＭＴＳ」である動画像データと１対１に対応付けられている。ＣＰＩファイルは、対応付けられた動画像データに関する情報（例えば、動画像の画角に関する情報や、動画像データにおけるオーディオの種類に関する情報等）を有する。
【００３１】
「ＳＴＲＥＡＭ」は、拡張子が「ＭＴＳ」である動画像データ（以下ＭＴＳファイル）を格納する。
【００３２】
次に上記で説明したそれぞれのディレクトリとそれぞれのファイルとの関係について図３を用いて説明する。「ＩＮＤＥＸ．ＢＤＭ」は、記録媒体に記録されているプレイリストを管理するプレイリスト参照テーブルを有している。拡張子が「ＭＰＬ」であるプレイリストは、ＣＰＩファイルを管理するエントリマーク参照テーブルを有している。ＣＰＩファイルと、ＭＴＳファイルとは１対１に対応付けられている。
【００３３】
〔１−２−３．本発明との対応〕
本実施の形態にかかるハードディスクドライブ１８０又はメモリカード２００は、本発明の動画像データを記憶する第１の記憶手段、及びＢＧＭデータを記憶する第２の記憶手段として機能する。本実施の形態にかかるコントローラー１６０は、本発明のダイジェスト再生用プレイリストを生成する生成手段、及びダイジェスト再生用プレイリストに基づいて動画像データを再生する再生手段として機能する。
【００３４】
本実施の形態にかかる操作部材２１０は、本発明のダイジェスト再生用プレイリストを生成するための動画像データの選択を受け付ける第１の受付手段、及び選択された動画像データをダイジェスト再生する際に併せて再生するＢＧＭデータの選択を受け付ける第２の受付手段として機能する。本実施の形態にかかる表示モニタ２２０は、本発明のダイジェスト再生用プレイリストの生成が完了していない場合には、ダイジェスト再生用プレイリストの生成が完了していない旨を表示する表示手段として機能する。
【００３５】
〔１−３．動作〕
〔１−３−１．記録動作〕
本実施の形態にかかるデジタルビデオカメラ１００における記録動作について図４を用いて説明する。図４は、本実施の形態にかかるデジタルビデオカメラ１００における記録動作を説明するためのフローチャートである。
【００３６】
使用者は、操作部材２１０のうちのモードダイヤル等を操作することにより、デジタルビデオカメラ１００を記録モードに設定することができる（Ｓ１００）。記録モードに設定されると、コントローラー１６０は、使用者により操作部材２１０のうちの撮影開始釦が押下されるまで待機する（Ｓ１１０）。
【００３７】
撮影開始釦が押下されると、コントローラー１６０は、ＣＣＤイメージセンサー１３０で生成された画像データとマイク２６０で生成された音声データを順次ハードディスクドライブ１８０若しくはメモリカード２００に記録する（Ｓ１２０）。画像データの記録が開始されると、コントローラー１６０は、特徴的な要因（ファクター）が存在するか否かを判断する（Ｓ１３０）。「特徴的な要因」については後述する。
【００３８】
特徴的な要因が存在しないと判断すると、コントローラー１６０は、操作部材２１０のうちの撮影停止釦が押下されたか否かを判断する（Ｓ１４０）。
【００３９】
一方、特徴的な要因が存在すると判断すると、コントローラー１６０は、その特徴的な要因が存在するときにＣＣＤイメージセンサー１３０で生成された画像データと、その特徴的な要因に割り当てられた得点とを対応付けてハードディスクドライブ１８０又はメモリカード２００に記録する（Ｓ１５０）。特徴的な要因に割り当てられた得点と画像データとの対応付けについては後述する。
【００４０】
特徴的な要因に割り当てられた得点と画像データとが対応付けてハードディスクドライブ１８０又はメモリカード２００に記憶されると、コントローラー１６０は、操作部材２１０のうちの撮影停止釦が押下されたか否かを判断する（Ｓ１６０）。
【００４１】
撮影停止釦が押下されたと判断すると、コントローラー１６０は、ハードディスクドライブ１８０又はメモリカード２００に、画像データに音声データが重畳された形態で記録された動画像データに対してインデックスを生成する（Ｓ１７０）。インデックスの生成方法については後述する。
【００４２】
インデックスを生成すると、コントローラー１６０は記録動作を終了する（Ｓ１８０）。
【００４３】
次に、「特徴的な要因」、特徴的な要因に割り当てられた得点と動画像データとの対応付け、インデックスの生成方法について図５を用いて説明する。図５は、これらを説明するための模式図である。
【００４４】
本実施の形態にかかるデジタルビデオカメラ１００は、３つの項目を基準に、複数のシーンから構成される動画像データの各シーンに対して得点を割り当てる。この得点を割り当てる基準となる項目が「特徴的な要因」となる。
【００４５】
まず１つ目の項目は、「顔」である。画像処理部１５０がＣＣＤイメージセンサー１３０で生成された画像データに含まれている「顔」を検出した場合には、コントローラー１６０は、顔を検出した際にＣＣＤイメージセンサー１３０により生成された画像データと所定の得点とを対応付けてハードディスクドライブ１８０又はメモリカード２００に記憶させる。
【００４６】
２つ目の項目は、「カメラワーク」である。カメラワークとしては、「フィックスショット」や「手振れ」や「ズーム」などが挙げられる。ここで、フィックスショットとは、特定の被写体像を一定時間以上継続して撮像し続ける撮像方法である。このようなフィックスショットにより生成された場面は重要である場合が多い。従って、その際にＣＣＤイメージセンサー１３０により生成された画像データに対しては所定の得点を与える。また、手振れとは、使用者が撮像を行う際にデジタルビデオカメラ１００に振動を与えてしまうことにより、撮像画像に与えてしまう振れのことである。このような手振れにより生成された場面は撮影を失敗した場面であり、あまり重要な場面ではないことが多い。従って、その際にＣＣＤイメージセンサー１３０により生成された画像データからは所定の得点を減点する。また、ズームとは、撮像している被写体のうちの所定の被写体像を拡大して撮像する撮像方法である。このようなズーム動作により生成された場面は重要である場合が多い。従って、その際にＣＣＤイメージセンサー１３０により生成された画像データに対しては所定の得点を与える。
【００４７】
３つ目の項目は、「マイク」である。マイク２６０により集められる音声の度合いにより、その際にＣＣＤイメージセンサー１３０で生成された画像データに対して所定の得点が対応付けられる。マイク２６０が大きな歓声を集めたような場面は重要な場面であることが多い。従って、その際にＣＣＤイメージセンサー１３０により生成された画像データに対しては、その歓声の度合いに応じて、所定の得点を与える。
【００４８】
このように「特徴的な要因」に応じて所定の得点を与えていくことにより、図５に示すように、動画像データのそれぞれのシーンに得点が対応付けられる。本実施の形態にかかるデジタルビデオカメラ１００においては、このシーンを４秒と均一にする。しかし、必ずしもこのような構成には限られない。例えば３秒〜１０秒のようにそれぞれのシーンで異なる時間となるようにしてもよい。これにより、シーンの特徴に応じて、柔軟に時間を変更できるため、使用者にとってより区切りの良い時点で映像を区切ることが可能となる。
【００４９】
次にインデックスの生成方法について説明する。使用者により撮像停止釦が押下されると、コントローラー１６０は、ハードディスクドライブ１８０又はメモリカード２００に記録した動画像データに対してインデックスを生成する。具体的にはコントローラー１６０は、動画像データのそれぞれのシーンに含まれる画像データごとの得点を比較し、得点の高い方から順に所定の数のシーンに対してインデックスを割り振る。例えば、図５の場合においては、生成した動画像データを構成するシーンのうち得点の高いものから優先的に５つのシーンが取り出されている。従って、得点の高い５つのシーンに対しては、１〜５のインデックスが割り振られることとなる。こうして割り振られたインデックスは、所定のシーンを示す情報として動画像データと共にハードディスクドライブ１８０又はメモリカード２００に記憶される。なお、図５の動画像データ２，３に関しても、インデックスは動画像データ１と同様に付与され、同様に記憶される。
【００５０】
〔１−３−２．再生動作〕
本実施の形態にかかるデジタルビデオカメラ１００における再生動作について図６を用いて説明する。図６は、本実施の形態にかかるデジタルビデオカメラ１００における再生動作を説明するためのフローチャートである。
【００５１】
使用者は、操作部材２１０のうちのモードダイヤル等を操作することにより、デジタルビデオカメラ１００をダイジェスト再生モードに設定することができる（Ｓ２００）。ここで、ダイジェスト再生モードとは、動画像データの全てのシーンを再生する通常の再生モードではなく、動画像データのうちの重要なシーンのみをかいつまんで再生するモードである。ダイジェスト再生モードに設定されると、コントローラー１６０は、使用者によりダイジェスト再生する動画像データが選択されるまで待機する（Ｓ２１０）。例えば、使用者は、図７に示す画面３００のような画面においてダイジェスト再生する動画像データを選択することができる。デジタルビデオカメラ１００においては、ダイジェスト再生に複数の動画像データを用いることができる。しかし、必ずしもこのような構成である必要はない。例えば、ダイジェスト再生に１つの動画像データのみを用いるような構成としてもよい。
【００５２】
ダイジェスト再生する動画像データの選択が使用者によりなされると、コントローラー１６０は、ダイジェスト再生する総再生時間をどのくらいの時間にするかについての選択を使用者から受け付けるまで待機する（Ｓ２２０）。例えば、使用者は、図７に示す画面３１０のような画面においてダイジェスト再生の総再生時間を選択することができる。ここで、「おまかせ」とは、所定の得点以上の得点が割り振られているシーンを全て再生するモードである。「おまかせ」を選択することにより、使用者は重要な場面の取りこぼしが少ないダイジェスト再生を行うことができる。
【００５３】
ダイジェスト再生の総再生時間が使用者により選択されると、コントローラー１６０は、使用者により選択された動画像データの各シーンに割り振られたインデックスに基づいてダイジェスト再生用プレイリストの生成を開始する（Ｓ２３０）。例えば、コントローラー１６０は図５に示すように、インデックスが付与されたシーンをピックアップし、それらのシーンを指し示すダイジェスト再生用プレイリストを生成する。これらのピックアップされたシーンはそれぞれ連続的に再生される。要するに、ダイジェスト再生用プレイリストは、ピックアップしたシーンを示す情報に基づいて、ピックアップしたシーンを連続的に再生するための管理ファイルであるといえる。なお、図５においては、インデックスが割り当てられている全てのシーンがピックアップされているが必ずしもこのような構成である必要はない。例えば、ダイジェスト再生の総再生時間に応じて、ピックアップするシーンの個数を決定してもよい。この場合には、高い得点が割り当てられているシーンから順に優先的にピックアップするような構成をとることもできる。これにより、使用者にとってより重要な場面をピックアップしたダイジェスト再生を実現することができる。また、複数の動画像データからシーンをピックアップするような場合には、単純にシーンに割り当てられた得点に応じてピックアップするシーンを選択するのではなく、それぞれの動画像データからまんべんなくシーンを選択する構成としてもよい。これにより、使用者によって複数の動画像データが選択されているにも関わらず、一部の動画像データから偏ってシーンをピックアップしてしまうという事態を回避することができる。
【００５４】
なお、生成したダイジェスト再生用プレイリストは、揮発性のメモリに記憶されてもよいし、不揮発性のメモリに記憶されてもよい。不揮発性のメモリに記憶すれば、同一の動画像データに基づいてダイジェスト再生を再度行う際に、高速にダイジェスト再生を行うことができる。
【００５５】
ダイジェスト再生用プレイリストの生成が開始されると、コントローラー１６０は、使用者によりＢＧＭデータの選択がされるまで待機する（Ｓ２４０）。ここで選択されるＢＧＭデータは動画像データのダイジェスト再生をする際に併せて再生されるＢＧＭデータである。例えば、使用者は、操作部材２１０（図１）で画面３２０（図７）のような選択画面においてＢＧＭデータを選択することができる。
【００５６】
使用者によりＢＧＭデータの選択がされると、コントローラー１６０は、ダイジェスト再生用プレイリストの生成が完了したか否かを判断する（Ｓ２５０）。
【００５７】
ダイジェスト再生用プレイリストの生成が完了していないと判断すると、コントローラー１６０は、現在ダイジェスト再生用プレイリストを生成中である旨を示す表示を表示モニタ２２０に表示させる。要するに、表示モニタ２２０は、プレイリストの生成が完了していない旨を表示する。例えば、画面３３０のような砂時計を表示モニタ２２０に表示させることにより、使用者に現在ダイジェスト再生用プレイリストを生成中である旨を報知する。これにより、ダイジェスト再生が即座に開始しない場合であっても、使用者は、デジタルビデオカメラ１００が故障したと勘違いしない。
【００５８】
一方、ダイジェスト再生用プレイリストの生成が完了していると判断すると、コントローラー１６０は、生成したダイジェスト再生用プレイリストに基づく動画像データの再生と併せて使用者により選択されたＢＧＭデータを再生する（Ｓ２６０）。ダイジェスト再生用プレイリストに基づく動画像データとＢＧＭデータの再生が開始されると、コントローラー１６０は、ダイジェスト再生用プレイリストに基づく動画像データの再生が終了したか否かを判断する（Ｓ２７０）。ダイジェスト再生用プレイリストに基づく動画像データの再生が終了したと判断すると、コントローラー１６０は、再生モードを終了する（Ｓ２８０）。なお、本実施の形態にかかるデジタルビデオカメラ１００は、ダイジェスト再生用プレイリストに基づく動画像データの再生を行う際に、動画像データに含まれている音声データの再生を行わず、代わりにＢＧＭデータの再生を行う。
【００５９】
このように、本実施の形態にかかるデジタルビデオカメラ１００は、ダイジェスト再生用プレイリストが指し示すシーンの再生と併せてＢＧＭデータの再生を行う構成をとる。このような構成により、連続的でない複数のシーンを連続的に繋ぐダイジェスト再生のような場合であっても、再生される音声が突然まったく異なる音声に変わってしまうという事態が生じない。その結果、デジタルビデオカメラ１００は、使用者にとって聴覚的に良好な音声を再生するダイジェスト再生をすることができる。
【００６０】
本実施の形態では、ダイジェスト再生用プレイリストが所定のシーンの格納場所を指し示す管理ファイルとなっている。このため、ダイジェスト再生用プレイリストに基づいて動画像データを再生すると、シーンが切り替わる際に次のシーンを参照するのに時間を要し、その間に待ち時間が生じることになる。すなわち、従来のようにダイジェスト再生において音声データを再生した場合には、シーンが切り替わるたびに、画像データ及び音声データが一瞬再生されなくなり、聴覚的にも視覚的にも違和感のあるダイジェスト再生が行われることになる。これに対し、本実施の形態では、音声データの代わりに連続したＢＧＭデータを音声として再生することにより、再生される音声が途切れることがない。従って、聴覚的に違和感のない滑らかなダイジェスト再生を行うことができる。また、連続するＢＧＭデータにより、画像データが一瞬再生されなくなっても使用者に画像データがつながって再生されているような印象を与えることができる。従って、映像の一体感をも醸し出すことができる。このように、本発明は、ダイジェスト再生用プレイリストが所定のシーンの格納場所を指し示す管理ファイルである場合に、特に効果的である。
【００６１】
また、デジタルビデオカメラ１００は、動画像データの選択とダイジェスト再生の総再生時間の選択を使用者から受け付けた後に、ＢＧＭデータの選択を使用者から受け付ける。このような構成により、デジタルビデオカメラ１００は、使用者がＢＧＭデータの選択に迷っているうちに、ダイジェスト再生用プレイリストの生成をできるだけ進めることができる。その結果、使用者がＢＧＭデータを選択した後に、ダイジェスト再生が開始されるまでの時間を短縮することができる。これは、ＢＧＭデータとしてどの曲が選択されたとしてもダイジェスト再生用プレイリストの生成には影響を与えることがないため、使用者がＢＧＭデータを選択する前に、ダイジェスト再生用プレイリストの生成を開始することができるからである。ただし、必ずしも上記の構成をとる必要はなく、例えばＢＧＭデータの選択を使用者から受け付けた後に、ダイジェスト再生用プレイリストの生成を行うようにしてもよい。
【００６２】
〔２．他の実施の形態〕
以上により、本発明の一実施形態を説明した。しかし、本発明は、これらには限定されない。そこで、本発明の他の実施の形態を本欄でまとめて説明する。
【００６３】
前記実施の形態では、記録した動画像データに対してインデックスを５つ設けることとした。しかしながら、必ずしもこのような構成である必要はない。例えばインデックスを６つ設けてもよいし１０個設けてもよい。要するにインデックスは所定の数であればよく、いくつであってもよい。
【００６４】
また、必ずしもインデックスを所定の数設けるような構成である必要はない。例えば、動画像データの記録時間に応じてインデックスの数を変更するような構成であってもよい。総記録時間が１分の場合にはインデックスを６つ設け、総記録時間が３分の場合にはインデックスを１８個設けるような構成であってもよい。記録時間が長くなれば、記録時間が短い場合と比較して、重要な場面も多く記録されることとなるからである。また、その際に、総記録時間とインデックスの個数との関係は線形である必要はなく、非線形であってもよい。例えば、総記録時間が１分の場合にインデックスを６つ設け、総記録時間が４分の場合にインデックスを１０個設けるような構成であってもよい。これは、長時間の１つの動画像データと、合計すると長時間の動画像データと同じ時間となる短い動画像データ複数とを比較すると、長時間の動画像データの中の方が重要な場面が少ない場合が多いことが経験的に知られているからである。従って、記録時間が長くなった場合に単純に線形にインデックスの数を増加させないことにより、重要な場面にインデックスを割り当てる精度を高めることが可能となる。
【００６５】
また、前記実施の形態で説明したように、ダイジェスト再生用プレイリストを生成する際には、インデックスが付与された全てのシーンをピックアップする必要はない。例えば、図８に示すように、複数の動画像データからダイジェスト再生を行う場合は、それぞれの動画像データの記録時間とそれぞれの動画像データから参照するシーンの数とが比例するようにダイジェスト再生用プレイリストを生成することもできる。この場合、以下の式（１）に基づいてそれぞれの動画像データのうちのいくつのシーンをダイジェスト再生用プレイリストが参照するかを決定する。
【００６６】
Ｎｉ＝（Ｔｉ／Ｔ）×Ｎ・・・（１）
ここで、Ｔ、Ｔｉ、Ｎ、Ｎｉのそれぞれの意味は、以下の通りである。
Ｔ：ダイジェスト再生対象の全記録時間
Ｔｉ：シーンを抜き出す動画像データの記録時間
Ｎ：ダイジェスト再生をするために必要となるインデックスが割り振られたシーンの総数
Ｎｉ：特定の動画像データから抜き出すインデックスが割り振られたシーンの数
【００６７】
図８に示した例においては、ダイジェスト再生をするために必要となるインデックスが割り振られたシーンの総数（Ｎ）を６としている。そうすると、動画像データ１のうちダイジェスト再生用プレイリストが参照すべきインデックスが割り振られたシーンの数は、（３０／６０）×６＝３（個）となる。また、動画像データ２のうちダイジェスト再生用プレイリストが参照すべきインデックスが割り振られたシーンの数は、（１０／６０）×６＝１（個）となる。また、動画像データ３のうちダイジェスト再生用プレイリストが参照すべきインデックスが割り振られたシーンの数は、（２０／６０）×６＝２（個）となる。
【００６８】
このように、複数の動画像データからダイジェスト再生を行う際に、それぞれの動画像データの記録時間に応じて、それぞれの動画像データからいくつのシーンを選んで再生するかを決定するように構成することで、使用者によって複数の動画像データが選択されているにも関わらず、一部の動画像データから偏ってシーンをピックアップしてしまうという事態を回避することができる。
【００６９】
また、前記実施の形態においては、記録媒体としてハードディスクドライブ１８０とメモリカード２００という２つの記録媒体を備えているが必ずしもこのような構成には限られない。記録媒体として少なくとも１つの記録媒体を備えていればよい。
【００７０】
また、デジタルビデオカメラ１００の光学系及びレンズ駆動部は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００７１】
また、前記実施の形態では、撮像手段として、ＣＣＤイメージセンサー１３０を例示したが、本発明はこれを採用した構成に限定されない。例えば、撮像手段を、ＣＭＯＳ（Complementary Metal Oxide Semiconductor）イメージセンサーで構成してもよく、ＮＭＯＳ（Negative-channel Metal Oxide Semiconductor）イメージセンサーで構成してもよい。
【００７２】
また、ＢＧＭデータを記憶する記憶手段は、ハードディスクドライブ１８０及びメモリカード２００に限定されない。例えば別の内部メモリ（不図示）で構成してもよい。
【００７３】
また、前記実施の形態では、３つの項目を基準に、複数のシーンから構成される動画像データの各シーンに対して得点を割り当てたが、必ずしも３つの項目を基準にする必要はない。例えば、そのうちの１つ又は２つであってもよいし、それ以上の項目を付加して４つ以上であってもよい。すなわち基準にする項目（特徴的な要因）の数は、任意に決定可能である。
【産業上の利用可能性】
【００７４】
本発明は、デジタルビデオカメラやデジタルスチルカメラなどに適用可能である。
【図１】
0005411874.tif 000002
【図２】
0005411874.tif 000003
【図３】
0005411874.tif 000004
【図４】
0005411874.tif 000005
【図５】
0005411874.tif 000006
【図６】
0005411874.tif 000007
【図７】
0005411874.tif 000008
【図８】
0005411874.tif 000009